(57)【要約】      （修正有）【課題】衣服本来の持つデザイン性や外観を損なうことなく容易に着脱でき、しかも簡単に外れてしまうことがない着心地の良い安定した布地装着アンテナ装置を提供する。【解決手段】アンテナと、そのアンテナに給電する伝送線路４と、アンテナと伝送線路４とを接続するコネクタ構造７とを有する布地装着アンテナ装置１であって、アンテナは、放射素子２と、グランド配線３とに分割され、伝送線路４は、信号パターン５とグランドパターンとを有し、コネクタ構造７は、信号パターン５に少なくとも接続する第１コネクタ８と放射素子２に接続する第２コネクタ９とが凹部１０と凸部１１で嵌合してなるように構成されている。第１コネクタ８は、第２コネクタ９側に凹部１０を有するとともに信号パターン５に電気的に接続する接続手段１２を有している。第２コネクタ９は、第１コネクタ８側に設けられて第１コネクタ８の凹部１０に嵌合する凸部１１を有する。【選択図】図１
2010068163.tif 000002
【特許請求の範囲】
【請求項１】
アンテナと、該アンテナに給電する伝送線路と、該アンテナと該伝送線路とを接続するコネクタ構造と、を有する布地装着アンテナ装置であって、
前記アンテナは、布地の表側に設けられた放射素子と、布地の裏側に設けられたグランド配線とに分割され、
前記伝送線路は、布地の裏側に設けられた信号パターンとグランドパターンとを有し、
前記コネクタ構造は、布地の表側に設けられて、前記信号パターンに少なくとも接続する第１コネクタと前記放射素子に接続する第２コネクタとが凹部と凸部で嵌合してなり、
前記第１コネクタは、前記第２コネクタ側に凹部又は凸部を有するとともに前信号パターンに電気的に接続する接続手段を有し、
前記第２コネクタは、前記第１コネクタ側に設けられて該第１コネクタの凹部又は凸部に嵌合する凸部又は凹部を有する、ことを特徴とする布地装着アンテナ装置。
【請求項２】
前記第１コネクタが前記凹部を有し、第２コネクタが前記凸部を有する場合において、
前記接続手段は、該凹部内に設けられて該凹部よりも小さい第２の凹部と、該第２の凹部に設けられた少なくとも２つの貫通孔と、該貫通孔と前記信号パターンとを布地を挟んで縫合する導電糸と、を有する、請求項１に記載の布地装着アンテナ装置。
【請求項３】
前記アンテナを構成する前記グランド配線と、前記伝送線路を構成する前記グランドパターンとが共通する、請求項１又は２に記載の布地装着アンテナ装置。
【請求項４】
前記第１コネクタが有する凹部と前記第２コネクタが有する凸部とが２箇所以上設けられ、それぞれ嵌合してなる、請求項２又は３に記載の布地装着アンテナ装置。
【請求項５】
前記２箇所以上の凹部と凸部の嵌合のうち少なくとも一箇所の嵌合が、前記放射素子と前記グランド配線とを電気的に接続する、請求項４に記載の布地装着アンテナ装置。
【請求項６】
前記第１コネクタ及び第２コネクタは非導電材からなり、該第１コネクタが有する凹部又は凸部の表面と前記第２コネクタが有する凸部又は凹部の表面に導電材が設けられて両コネクタが電気的に接続する、請求項１〜５のいずれか１項に記載の布地装着アンテナ装置。
【請求項７】
前記第１コネクタと第２コネクタの一方又は両方が磁石を有し、両コネクタが該磁石の磁力で引き合う、請求項１〜６のいずれか１項に記載の布地装着アンテナ装置。
【請求項８】
前記第１コネクタは、前記凹部又は凸部以外の部位で前記グランドパターンに電気的に接続する第２の接続手段を少なくとも１カ所以上有する、請求項１〜７のいずれか１項に記載の布地装着アンテナ装置。
【請求項９】
前記第２の接続手段は、前記第１コネクタの外枠部に設けられた導電材と、前記第１コネクタの外枠部近傍に設けられた少なくとも１つの貫通孔と、前記導電材と前記グランドパターンとを布地を挟んで接続する導電糸と、を有する、請求項８に記載の布地装着アンテナ装置。
【請求項１０】
前記第２コネクタは、その内部に導電ピンを有し、該導電ピンは、前記凸部の導電材と前記放射素子とを接続する、請求項１〜９のいずれか１項に記載の布地装着アンテナ装置。
【請求項１１】
前記伝送線路が、前記信号パターンと前記グランドパターンとが布地の裏側の同一平面上に形成されたコプレナ型伝送線路である、請求項１〜１０のいずれか１項に記載の布地装着アンテナ装置。
【発明の詳細な説明】
【技術分野】
【０００１】
本発明は、布地装着アンテナ装置に関し、さらに詳しくは、アンテナを衣服等の布地に取り付けた際の着心地感を良くする構造からなる布地装着アンテナ装置に関する。
【背景技術】
【０００２】
地上波デジタル放送のサービスの開始や受信機の小形薄型化に伴い、アンテナを衣服等の布地に装着したウェアラブルアンテナ（以下、本願では「布地装着アンテナ装置」ともいう。）への実現要求が高まってきている。布地装着アンテナ装置としては、各種のものが提案されている。
【０００３】
例えば、下記特許文献１には、軽量かつ柔軟でしわがほぼ生じなく、服や帽子等に縫い付けることが可能なウェアラブルアンテナとすることを目的としたマイクロストリップアンテナが提案されている。このマイクロストリップアンテナは、柔軟性の誘電体基板と、該誘電体基板の下面に設けた柔軟性で導電性のグランド板と、該誘電体基板の上面に設け、前記グランド板より面積の小さい柔軟性で導電性のマイクロストリップパッチとで構成することにより上記目的を達成したと記載され、同文献１の図３には、マイクロストリップアンテナを腕に取り付けた態様が記載されている。
【０００４】
また、下記特許文献２では、衣服の内部に収容され得ることを目的としたアンテナが提案されている。このアンテナでは、アンテナが、人の背中の上部において肩胛骨間に自然に生じるくぼみに少なくとも部分的に収容され得る大きさ及び形状のアンテナ取り付け部に置かれ、その取り付け部は、使用中、取り付け部のアンテナを受け入れる部分から着用者の肩を越えて着用者の胴部の前部に延在する支持ストラップ部を有し、そして、そのアンテナ取り付け部は、身体の上部の周りに着用するのに好適な衣服に設けられてなることにより上記目的を達成したと記載されている。
【０００５】
また、下記特許文献３では、携帯する場合には身体に容易に装着できると共に、全く違和感がなく、目立たず、しかも送受信性能が良好であること、また車両の搭載タイプにする場合には外観上アンテナの存在を見せることなく容易に取り付けることができ、かつ送受信性能を良好にできるベストアンテナが提案されている。このベストアンテナは、ベストの背中部分の内側にアンテナ素子部、整合部、地線部が接着されており、素材は導電性布が用いられて自由に折り曲げが可能であり、アンテナ素子部および地線部はテープ状であり、アンテナ素子部は垂直に、地線部は水平に接着されており、ポケットなどに無線機本体を入れ、同軸ケーブルで整合部と地線部の間に給電するように構成して上記目的を達成したと記載されている。
【０００６】
なお、上記のような衣服装着型のアンテナではないが、下記特許文献４のようなボタン型アンテナも提案されている。このボタン型アンテナは、裏面側に縫止脚をもち頂部に識別情報入りのＩＣと当該ＩＣのアンテナと装飾をもった、衣服クリーニング業界等における商品および顧客管理等流通管理や衣服の紛失防止等に極めて好適で便利なものとして提案されたものである。そして、その構成は、裏面に縫止脚をもつボタンであって、ボタン本体部に識別情報入りのＩＣチップとそのアンテナと装飾を、識別情報入りのＩＣチップがボタン本体の頂部の中心部に位置し、アンテナが同頂部の外周辺にリング状を呈して位置した状態で埋め設けられ、装飾がボタン本体の頂面におけるＩＣチップとそのアンテナの埋め設け部の外面に設けられてなるものである。
【０００７】
また、衣服装着型のアンテナの範疇には含まれない技術分野に係るアンテナのコネクタ構造に関するものであるが、衣服のボタンとして使用されるホックボタンの構造を転用した接続コネクタが提案されている。この接続コネクタは、同文献５の図２及び第００１１段落に示すように、弾性を有した金属導体から成る第１及び第２のコネクタ片から成り、一方のコネクタ片は後述する凹部内に着脱可能に弾性嵌合する凸部を有し、他方のコネクタ片は該突部を受け入れる凹部を有する受け部材であるように構成されている。
【０００８】
【特許文献１】特開２００３−２５８５３９号公報
【特許文献２】特表２００４−５１８３２２号公報
【特許文献３】実用新案登録第３１０３０９１号
【特許文献４】特開２００２ー４２１００号公報
【特許文献５】特開平７−３１２２５１号公報
【発明の開示】
【発明が解決しようとする課題】
【０００９】
一般的なウェアラブルアンテナ（衣服装着型アンテナ）は、上記特許文献１〜３に記載のように、衣服に直接又は間接的に取り付けられたものである。そして、受信した電波は、アンテナに取り付けられたコネクタから、同軸ケーブル等の伝送線路を介して受信機へ伝送される。こうした衣服装着型アンテナは、電波を受信するときだけ衣服に取り付ければよいので、着脱タイプであればよいが、以下のような問題がある。
【００１０】
特許文献１のマイクロストリップアンテナは、同文献１の図３に示すように、腕章形態で着脱自在に衣服に取り付けるものであるが、そうした腕章形態のアンテナを衣服に装着する場合、衣服によっては、本来の持つデザイン性や外観が損なわれてしまっていた。また、特許文献２のアンテナは、同文献２の図５ａ、５ｂに示すように、ベスト形態のアンテナを衣服の外側から取り付ける構成であるので、比較的幅広のグランド板を有し、そのため、衣服本来の持つデザイン性や外観が損なわれてしまっていた。また、特許文献３のベストアンテナは、同文献３の図１、６に示すように、アンテナ全体を衣服の内側に取り付けるベスト形態のアンテナであるが、衣服の内側に装着するため、着脱するのに手間がかかり、煩雑さを伴っていた。
【００１１】
こうした問題に対し、本願発明者は、パッチとグランド配線とを有するアンテナにおいて、グランド配線を衣服の裏地側に配置し、パッチを衣服の表地側に着脱可能に配置した衣服装着型アンテナとすれば、幅広のグランド配線を衣服の裏地側に隠すことができるので外観性が保たれるとともに、寸法が小さいパッチを衣服の表地側から着脱できるので取り付けが非常に簡単になると考えた。
【００１２】
このような、グランド配線を衣服の裏地側に配置し、パッチを衣服の表地側に着脱可能に配置した衣服装着型アンテナは今まで提案されておらず、そうした着脱自在な取付構造は衣服を洗濯した場合に不具合があってはならない。着脱自在な取付構造としては、取付部材を接着剤や半田等で布地に接着することが考えられるが、その際に衣服の生地を傷めてしまったり、洗濯を幾度となく行っているうちに接着力が弱まったり、衣服から剥がれてしまったり、という問題が生じてはならない。
【００１３】
本発明は、上記課題を解決するためになされたものであって、その目的は、グランド配線を衣服の裏地側に配置し、放射素子を衣服の表地側に着脱可能に配置したアンテナ（布地装着アンテナ装置という。以下同じ。）とする場合、衣服本来の持つデザイン性や外観を損なうことなく容易に着脱でき、しかも簡単に外れてしまうことがない着心地の良い安定した布地装着アンテナ装置を提供することにある。
【課題を解決するための手段】
【００１４】
上記課題を解決するための本発明の布地装着アンテナ装置は、アンテナと、該アンテナに給電する伝送線路と、該アンテナと該伝送線路とを接続するコネクタ構造と、を有する布地装着アンテナ装置であって、
前記アンテナは、布地の表側に設けられた放射素子と、布地の裏側に設けられたグランド配線とに分割され、前記伝送線路は、布地の裏側に設けられた信号パターンとグランドパターンとを有し、前記コネクタ構造は、布地の表側に設けられて、前記信号パターンに少なくとも接続する第１コネクタと前記放射素子に接続する第２コネクタとが凹部と凸部で嵌合してなり、
前記第１コネクタは、前記第２コネクタ側に凹部又は凸部を有するとともに前信号パターンに電気的に接続する接続手段を有し、前記第２コネクタは、前記第１コネクタ側に設けられて該第１コネクタの凹部又は凸部に嵌合する凸部又は凹部を有する、ことを特徴とする。
【００１５】
本発明の布地装着アンテナ装置の好ましい態様として、前記第１コネクタが前記凹部を有し、前記第２コネクタが凸部を有する場合において、前記接続手段は、該凹部内に設けられて該凹部よりも小さい第２の凹部と、該第２の凹部に設けられた少なくとも２つの貫通孔と、該貫通孔と前記信号パターンとを布地を挟んで縫合する導電糸とを有するように構成する。
【００１６】
本発明の布地装着アンテナ装置の好ましい態様として、前記アンテナを構成する前記グランド配線と、前記伝送線路を構成する前記グランドパターンとが共通するように構成する。
【００１７】
本発明の布地装着アンテナ装置の好ましい態様として、前記第１コネクタが有する凹部と前記第２コネクタが有する凸部とが２箇所以上設けられ、それぞれ嵌合してなるように構成する。なお、この場合において、前記２箇所以上の凹部と凸部の嵌合のうち少なくとも一箇所の嵌合が、前記放射素子と前記信号パターンとを電気的に接続するように構成してもよい。
【００１８】
本発明の布地装着アンテナ装置の好ましい態様として、前記第１コネクタ及び第２コネクタは非導電材からなり、該第１コネクタが有する凹部又は凸部の表面と前記第２コネクタが有する凸部又は凹部の表面に導電材が設けられて両コネクタが電気的に接続するように構成する。
【００１９】
本発明の布地装着アンテナ装置の好ましい態様として、前記第１コネクタと第２コネクタの一方又は両方が磁石を有し、両コネクタが該磁石の磁力で引き合うように構成する。
【００２０】
本発明の布地装着アンテナ装置の好ましい態様として、前記第１コネクタは、前記凹部又は凸部以外の部位で前記グランドパターンに電気的に接続する第２の接続手段を少なくとも１カ所以上有するように構成する。この場合において、前記第２の接続手段は、前記第１コネクタの外枠部に設けられた導電材と、前記第１コネクタの外枠部近傍に設けられた少なくとも１つの貫通孔と、前記導電材と前記グランドパターンとを布地を挟んで接続する導電糸とを有するように構成することが好ましい。
【００２１】
本発明の布地装着アンテナ装置の好ましい態様として、前記第２コネクタは、その内部に導電ピンを有し、該導電ピンは、前記凸部の導電材と前記放射素子とを接続するように構成する。
【００２２】
本発明の布地装着アンテナ装置の好ましい態様として、前記伝送線路が、前記信号パターンと前記グランドパターンとが布地の裏側の同一平面上に形成されたコプレナ型伝送線路であるように構成する。
【発明の効果】
【００２３】
本発明の布地装着アンテナ装置によれば、布地の裏側に設けられた大面積のグランド配線と、布地の表側に設けられた小面積の放射素子とを着脱可能に接続するコネクタ構造が布地の表側に設けられているので、外観を大きく損なうことがなく、さらに、不要なときには放射素子のみを簡単に取り外すことができ、取り外した後にはボタンのように小さいコネクタ構造が表側に残るのみである。したがって、本発明の布地装着アンテナ装置によれば、衣服本来の持つデザイン性や外観を損なうことがなく、さらにアンテナとして使用しない際には放射素子を取り外せば、アンテナ対応の衣服等であることすらわからなくなる。また、第１コネクタと第２コネクタからなるコネクタ構造が布地の裏側に設けられていないので、裏側に大きな出っ張り等がなく、布地を身に装着した場合であっても着心地を損なうことがない。また、コネクタ構造は、凹部又は凸部のいずれかをそれぞれ有する第１コネクタと第２コネクタとが嵌合して機械的かつ電気的に接続するので、簡単に外れてしまうことがなく、安定したアンテナとなる。
【００２４】
また、本発明の布地装着アンテナ装置によれば、第１コネクタが凹部を有し、第２コネクタが凸部を有する場合において、第１コネクタと信号パターンとの接続を、第１コネクタの凹部内の第２の凹部に設けられた２つの貫通孔に布地を挟んで導電糸を縫い付けて行うので、接着剤や半田で接着する場合のような生地へのダメージを防ぐことができ、さらに繰り返し洗濯等を行った場合でも安定した接着を確保することができる。
【００２５】
また、本発明の布地装着アンテナ装置によれば、第１コネクタが有する凹部と第２コネクタが有する凸部とによる嵌合箇所を２箇所以上とするので、第１コネクタと第２コネクタとの接続構造をより安定したものとすることができる。
【００２６】
従来の衣服装着型のアンテナは、アンテナを衣服に着脱可能とする接続コネクタに十分な工夫がなされておらず、例えば接着剤や半田等での接続により生地を傷めてしまったり、洗濯を繰り返すうちに接続強度が弱まって衣服から外れたりしまうという問題があった。また、コネクタ構造が裏地側に設けられていたため、コネクタの高さの分だけ裏地側に出っ張りが生じ、着心地が悪かった。こうした問題に対し、上記本発明の布地装着アンテナ装置は従来の問題を解決し、衣服本来の持つデザイン性や外観を損なうことなく容易に着脱でき、しかも簡単に外れてしまうことがない着心地の良い安定したアンテナとすることができた。
【発明を実施するための最良の形態】
【００２７】
以下、本発明の布地装着アンテナ装置について図面を参照して説明する。
【００２８】
［第１実施形態］
最初に、放射素子であるパッチとグランド配線とで構成されるパッチアンテナを備えた布地装着アンテナ装置１を例にして、本発明の基本構成を説明する。図１は、本発明の第１実施形態の布地装着アンテナ装置を示す斜視図であり、図２は、図１の断面図である。なお、図１は第１コネクタと第２コネクタとを外してコネクタ構造を解除した態様を示しており、図２は第１コネクタと第２コネクタとを嵌合してコネクタ構造を構成した態様を示している。また、図３は、本発明の布地装着アンテナ装置を構成するコネクタ構造を解除してパッチを取り外した態様を示す全体図であり、図４は、衣服の裏地側に設けられた信号パターンとグランドパターンの構成図である。また、図５は、パッチと第２コネクタとの取付構造を示す図であり、図６は、第２コネクタの構造を示す図である。また、図７は、布地と第１コネクタとの取付構造を示す図であり、図８は、第２コネクタの構造を示す図である。なお、図５〜図７において、（Ａ）は断面図であり、（Ｂ）は平面図である。
【００２９】
（基本構成）
本発明の布地装着アンテナ装置１は、パッチアンテナと、そのパッチアンテナに給電する伝送線路４と、パッチアンテナと伝送線路４とを接続するコネクタ構造７と、を有する。そして、パッチアンテナは、図１及び図２に示すように、布地５０の表側５１に設けられたパッチ２（放射素子）と、布地５０の裏側５２に設けられたグランド配線３とに分割されている。伝送線路４は、布地５０の裏側５２に設けられた信号パターン５とグランドパターン６とを有している。コネクタ構造７は、布地５０の表側５１に設けられて、信号パターン５に少なくとも接続する第１コネクタ８とパッチ２に接続する第２コネクタ９とが凹部１０と凸部１１で嵌合してなるものである。
【００３０】
凹部１０と凸部１１は第１コネクタ８と第２コネクタ９にそれぞれ設けられていればよく、凹部１０が第１コネクタ８に設けられて凸部１１が第２コネクタ９に設けられていてもよいし、凸部１１が第１コネクタ８に設けられて凹部１０が第２コネクタ９に設けられていてもよい。例えば図１及び図２の例では、コネクタ構造７を構成する第１コネクタ８は、第２コネクタ９側に凹部１０を有するとともにその凹部１０内に設けられて信号パターン５に電気的に接続する接続手段１２を有している。また、第２コネクタ９は、第１コネクタ８側に設けられて第１コネクタ８の凹部１０に嵌合する凸部１１を有している。
【００３１】
ここで、「パッチアンテナと伝送線路４とを接続するコネクタ構造７」とは、コネクタ構造７が、パッチアンテナを構成するパッチ２と伝送線路４を構成する信号パターン５とを必ず接続するものであることを意味する（第１実施形態を参照。）が、一方、パッチ２と伝送線路４を構成するグランドパターン６とを接続するものであってもよく、この場合には、グランドパターン６は、パッチアンテナを構成するグランド配線３と共通したものとなる。また、「信号パターン５に少なくとも接続する第１コネクタ８」とは、第１コネクタ８は信号パターン５には必ず接続する（第１実施形態を参照。）が、グランドパターン６にも接続するものであってもよく、この場合には、グランドパターン６はグランド配線３と共通したものとなる。
【００３２】
こうした基本構成からなる布地装着アンテナ装置１では、図３及び図４に示すように、布地５０の裏側５２に設けられたグランド配線３は通常は大面積であり、表側５１に設けられたパッチ２は通常は小面積であり、その小面積のパッチ２を着脱可能に接続するコネクタ構造７を布地５０の表側５１に設けている。したがって、大面積のグランド配線３が布地５０の裏側５２に設けられるので、外観を大きく損なうことがない。
【００３３】
そして、図３及び図４に示すように、アンテナ機能が不要なときには第１コネクタ８と第２コネクタ９との嵌合を解除して第２コネクタ９を取り外すことにより、パッチ２のみを簡単に取り外すことができる。取り外した後にはボタンのように小さいコネクタ構造（第１コネクタ８）のみが表側５１に残ることになるので、例えば衣服に装着した場合には、衣服本来の持つデザイン性や外観を損なうことがなく、アンテナ対応の衣服であることすらわからなくなる。さらに、第１コネクタ８と第２コネクタ９からなるコネクタ構造７が裏側５２に設けられていないので、裏側５２に大きな出っ張り等がなく、着心地を損なうことがない。また、第１コネクタ７の凹部１０と第２コネクタ９の凸部１１とが嵌合して接続するので、簡単に外れてしまうことがなく、安定したアンテナとなる。
【００３４】
なお、この第１実施形態から以下に示す第６実施形態においては、第１コネクタ７を布地５０に接続する接続手段として、第１コネクタ７が有する貫通孔１８，１８に導電糸１９を通して縫合する手段を好ましい態様として例示しているが、着心地を損なわず且つ安定して装着できる接続手段であれば、必ずしも導電糸による縫合に限定されず、いわゆるピンズバッジ又はピンバッジを装着するような平ネジ式やロータリー式のネジタイプの接続手段を適用してもよいし、タイタック式や蝶タック式のタイタックタイプの接続手段を適用してもよい。
【００３５】
次に、本発明の布地装着アンテナ装置を構成する基本要素についてさらに詳しく説明する。
【００３６】
（適用対象）
本発明の布地装着アンテナ装置１が適用される対象は、図３及び図４に示すように、長袖又は半袖の衣服であってもよいし、ベスト形態の衣服であってもよいし、その他腕章、タスキ、帽子等、人体に装着する布製（皮革も含む。）のものであってもよい。また、その他の形態の布製のものであれば、垂れ幕や旗等であってもよく、特に限定されない。布地５０の材質は、一般的な布地材質であれば特に限定されず、綿、絹、麻等の天然繊維、ナイロン、ポリエステル等の合成繊維の他、天然皮革、合成皮革等の皮革等を含む各種のものを挙げることができる。
【００３７】
（パッチアンテナ）
パッチアンテナは、本発明の布地装着アンテナ装置が有するアンテナの一例であり、例えば後述する実施形態の他の種類のアンテナの適用を妨げるものではない。このパッチアンテナは、図１及び図２に示すように、布地５０の表側５１に設けられた放射素子であるパッチ２と、布地５０の裏側５２にアイロンプリントや糸等であらかじめ平坦に裏打ちされたグランド配線３とに、コネクタ構造７を介して分割されている。パッチ２のグランド配線３側には、誘電体１３が設けられている。パッチ２は、板状又は膜状の導電材であり、図１及び図２に示すように、板状、シート又はフィルム状の誘電体１３に接着剤等で貼り合わされている。こうしたパッチ２としては、例えば銅張り積層基板や、発泡樹脂シート上に銅箔等を接着したものを利用すると便利である。なお、導電材としては、銅、アルミニウム等からなる材質が挙げられ、誘電体１３としては、一般的なガラスエポキシ基板、発泡樹脂基板、ナイロン等が挙げられる。パッチ２が貼り合わされていない側の誘電体面には、第２コネクタ９が取り付けられており、その第２コネクタ９の誘電体側の反対面には、第１コネクタ８が有する凹部１０に嵌合する凸部１１が設けられている。図示の例では、第１コネクタ８の凹部１０と第２コネクタ９の凸部１１とを一体化したときにパッチアンテナになる。
【００３８】
なお、パッチ２の寸法は、λ／２×λ／２であるが、例えばλ／４×λ／４のパッチ２に対し、導電糸で適切な場所でグランド配線３と短絡させれば小型化も可能である。
【００３９】
（コネクタ構造）
コネクタ構造７は、パッチアンテナと伝送線路４とを接続する。このコネクタ構造７は、布地５０の表側５１に設けられて、信号パターン５に少なくとも接続する第１コネクタ８と、パッチ２に接続する第２コネクタ９とが、凹部１０と凸部１１で嵌合してなるものである。こうしたコネクタ構造７で第１コネクタ８と第２コネクタ９とが嵌合したとき、パッチ２と平行にグランド配線３が配置されることになる。
【００４０】
第２コネクタ９は、図５及び図６に示すように、導電体であっても非導電体であってもよいが、少なくとも凸部１１が導電性を有している。また、その形状も特に限定されないが、円柱形（図５及び図６を参照）又は角柱形（図示しない）からなる胴体部１４の上底に凸部１１が設けられている例を挙げることができる。凸部１１の導電性については、例えば第２コネクタ９を構成する胴体部１４と凸部１１の全体が導電性であってもよいし、胴体部１４は非導電性の樹脂等で構成されて凸部１１のみが導電性であってもよいし、胴体部１４も凸部１１も非導電性の樹脂等で構成されて凸部表面のみが導電性であってもよい。こうした導電性は、銅、アルミニウム等の導電材で胴体部１４や凸部１１を構成したり、そうした導電材からなる導電膜を凸部表面に蒸着等で成膜したりして与えることができる。例えば胴体部１４を非導電性の樹脂製とすれば、軽量化を図ることができ、布地装着アンテナ装置１のコネクタ構造７として好ましい。
【００４１】
第２コネクタ９において、第１コネクタ８の凹部１０に嵌合して電気的に接続する凸部１１の導電材２１と、パッチ２との電気的な接続は、図５に示すような導電ピン１５によるものであってもよいし、その他の接続手段であってもよい。図５及び図６において、非導電性の胴体部１４を貫通する導電ピン１５は、胴体部１４に設けられた穴２３に挿入される金属ピンのようなものであってもよいし、例えば樹脂製の胴体部１４に、配線板で適用されるスルーホール内を金属で埋めたものであってもよい。また、穴が埋められていない、通常のスルーホールであってもよい。導電ピン１５と、パッチ２及び凸部１１の導電材２１との接続は、導電ペーストによる接続や半田付け等による接続で行われる。
【００４２】
第１コネクタ８も上記第２コネクタ９と同様、図７及び図８に示すように、導電体であっても非導電体であってもよいが、少なくとも凹部１０が導電性を有している。また、その形状も特に限定されないが、円柱形（図７及び図８を参照）又は角柱形（図示しない）からなる胴体部１６に凹部１０が設けられている例を挙げることができる。凹部１０の導電性は、例えば第１コネクタ８を構成する胴体部１６と凹部１０の全体が導電性であってもよいし、胴体部１６は非導電性の樹脂等で構成されて凹部１０の表面のみが導電性であってもよい。こうした導電性は、銅、アルミニウム等の導電材で胴体部１６を構成したり、そうした導電材２０からなる導電膜（図７及び図８を参照）を凹部１０表面に蒸着等で成膜したりして与えることができる。上記第２コネクタ９の場合と同様、例えば胴体部１６を非導電性の樹脂製とすれば、軽量化を図ることができ、布地装着アンテナ装置１のコネクタ構造７として好ましい。
【００４３】
第１コネクタ８の凹部１０と第２コネクタ９の凸部１１とは、図１等に示すように、いずれも円柱形状であるが、実際は凸部１１の中腹は凸状の丸みを帯び、凹部１０の中腹には凹状の丸みを帯び、それらが嵌合することによって外れにくくなっている。また、嵌合時には、凹部１０に形成された導電材２０と、凸部１１に形成された導電材２１とが接する構造になっている。
【００４４】
第１コネクタ８は、伝送線路４を取り付けるコネクタと、分割したアンテナの接続用コネクタの両方を兼ね備えた構成とすることができる。そして、第１コネクタ８は、図４に示すように、衣服の内側にある信号パターン５の端部に、衣服の外側から取り付けることができるため、従来の同軸ケーブルを使用したときのように衣服の内側に垂直にケーブル用コネクタが突出する箇所をなくすことができる。また、この第１コネクタ８は、図４に示すように、第２コネクタ９を取り付けたときにパッチ２が邪魔にならないような腰などの位置にくるようにできるので、必然的に信号パターン５の端部も、衣服の内側でコネクタ構造７と同じ位置にくるようにできる。
【００４５】
第２コネクタ９の凸部１１に嵌合して電気的に接続する第１コネクタ８の凹部１０の導電材２０と、伝送線路４を構成する信号パターン５との電気的な接続は、図１及び図２に示すような接続手段１２によるものであってもよいし、その他の接続手段であってもよい。
【００４６】
以上のようなコネクタ構造７は、着脱可能に構成された第１コネクタ８と第２コネクタ９とを嵌合してなるものであり、その結果、分割されたパッチ２とグランド配線３とからなるパッチアンテナを一体化することになる。こうしたコネクタ構造７において、第１コネクタ８と第２コネクタ９との嵌合をより安定なものとするために、第１コネクタ８と第２コネクタ９の一方又は両方が磁石を有し、両コネクタが磁石の磁力で引き合うように構成することが好ましい（後述する第４実施形態を参照）。こうすることにより、両コネクタ８，９の接続をより安定なものとすることができる。
【００４７】
また、本発明の布地装着アンテナ装置においては、第１コネクタ８が有する凹部１０と第２コネクタ９が有する凸部１１とが２箇所以上設けられ、それぞれ嵌合してなるように構成してもよい（後述する第５実施形態を参照）。こうすることにより、第１コネクタ８と第２コネクタ９との接続構造をより安定したものとすることができる。こうした場合において、２箇所以上の凹部１０と凸部１１の嵌合のいずれもが、パッチ２と信号パターン５とを電気的に接続するように構成してもよいし、２箇所以上の凹部１０と凸部１１の嵌合のうち少なくとも一箇所の嵌合が、パッチ２と信号パターンとを電気的に接続するように構成してもよい。
【００４８】
（接続手段）
図１及び図２に示す接続手段１２は、凹部１０内に設けられてその凹部１０よりも小さい第２の凹部１７と、その第２の凹部１７に設けられた少なくとも２つの貫通孔１８，１８と、その貫通孔１８，１８と信号パターン５とを布地５０を挟んで縫合する導電糸１９とを有するように構成した例を示している。なお、図示の例では貫通孔１８を２つ設けているが、貫通孔１８の数は、少なくとも２つであればよく、３つであってもよいし４つであってもよい。
【００４９】
詳しくは、図７及び図８に示すように、凹部１０（第１の凹部１０ともいう。）は、円柱状の第１コネクタ８の中央部分に円形状の凹部として形成されており、第２の凹部７は、その第１の凹部１０の中央部分に円形状の凹部として形成されている。そして、その第２の凹部１７の底面には、２つの貫通孔１８，１８が形成されている。そして、その貫通孔１８，１８に導電性の糸（本願では導電糸１９という。）を通して、第１コネクタ８と布地５０とを縫合する。縫合する布地５０の裏地５２には信号パターン５が設けられているので、縫合する導電糸１９は、信号パターン５の端部と、凹部１０の導電材２０とを電気的に接続する。その結果、その凹部１０が第２コネクタ９の凸部１１に嵌合することにより、信号パターン５とパッチ２とが導通することになる。この信号パターン５は伝送線路４を構成するので、伝送線路４からパッチアンテナに給電することができ、本発明に係る布地装着アンテナ装置１がアンテナとして機能することになる。
【００５０】
第２の凹部１７の表面には上記凹部１０と同様の導電材２０が形成されているので、導電糸１９で縫合した際に、信号パターン５からの給電が、導電糸１９を介して導電材２０に伝わり、さらに第２コネクタ９の凸部１１の導電材２１を介してパッチ２に伝わる。このとき、導電糸１９としては、導電性の糸であれば特に限定されないが、例えばカーボンからなる糸等を挙げることができる。このように、第１コネクタ８と信号パターン３との接続を、第１コネクタ８の凹部１０内の第２の凹部１７に設けられたシャツのボタン穴のような２つの貫通孔１８，１８に導電糸１９を縫い付けて行うので、接着剤や半田で接着する場合のような生地へのダメージを防ぐことができ、さらに繰り返し洗濯等を行った場合でも安定した接着を確保することができる。
【００５１】
第２の凹部１７の深さは、第１コネクタ８の第１の凹部１０に嵌合した後における第２コネクタ９の凸部１１が、導電糸１９で貫通孔１８，１８を縫合した後の第２の凹部１７に接しない程度の深さであるように設計されることが好ましい。そのため、導電糸１９は、第２コネクタ９の凸部１１と接することはない。このとき、衣服の内側にあるのは、同一平面状の伝送線路４と導電糸１９のみとなり、突出するものはないため、着心地等が問題になることはない。
【００５２】
導電糸１９で縫合される信号パターン５は、布地５０の裏側（裏地側）に設けられる。そうした信号パターン５は、銅、アルミニウム等の導電材からなるものであり、そうした導電材は布地５０にアイロンプリントや糸等で平坦に裏打ちして設けられている。
【００５３】
（伝送線路）
伝送線路４は、図１及び図２に示すように、布地５０の裏側５２に設けられた信号パターン５とグランドパターン６とを有している。図示の伝送線路４は、所定のスリット幅Ｄ２を開けて形成されたグランドパターン６と、そのスリット幅Ｄ２内に設けられた信号パターン５とが同一平面に形成されたコプレナ型の伝送線路である。このときのスリット幅Ｄ２は、図４及び図７に示すように、第１コネクタ８の大きさとほぼ同程度でかつ細長く形成され、グランドパターン６はその信号パターン５の周囲を囲むように、布地５０の裏側（裏地側）に幅広で形成されている。このコプレナ型の伝送線路４を構成するグランドパターン６は、上記の信号パターン５と同様、そうしたグランドパターン６も銅、アルミニウム等の導電材からなるものであり、そうした導電材は布地５０にアイロンプリントや糸等で平坦に裏打ちして設けられている。
【００５４】
なお、伝送線路４を構成するグランドパターン６は、パッチアンテナを構成するグランド配線３と共通するものとして併用できる。したがって、パッチアンテナを構成するグランド配線３は、伝送線路４構成するグランドパターン６と同じものとすることができる。また、信号パターン５とグランドパターン６との間には、同じく同一平面状になるように誘電体（図示しない）を設けてもよい。
【００５５】
伝送線路４を構成する信号パターン５とグランドパターン６との間の距離は、伝送線路４の特性インピーダンスが５０Ωとなるように、Ｚ＝１３８×ｌｏｇ１０（Ｄ１／Ｄ２）、によって間隔を設定している。ここで、Ｚは伝送線路４の特性インピーダンスであり、Ｄ１は信号パターン５の幅であり、Ｄ２はグランドパターン６のスリット幅である（Ｄ１，Ｄ２については図７を参照）。
【００５６】
［第２実施形態］
本発明の布地装着アンテナ装置１を受信に用いる場合には、アンテナから受信した電波を受信機へ送る必要がある。このとき、受信機に信号を送るケーブル端部のコネクタ構造を、上記コネクタ構造７と同様の構造とすれば、受信機に送るケーブル端部を着脱可能にすることができる。この第２実施形態の布地装着アンテナ装置は、上記第１実施形態のコネクタ構造７に加え、同軸ケーブルを用いて衣服から電力を取り出すときのコネクタ構造をさらに有するものである。
【００５７】
図９は、本発明の第２実施形態の布地装着アンテナ装置が有するケーブル端部のコネクタ構造２４を示す斜視図である。この図９は、第３コネクタ２２と第４コネクタ２３とを外してコネクタ構造２４を解除した態様を示している。また、図１０は、同軸ケーブル２５と第４コネクタ２３との取付構造を示す図であり、図１１は、第４コネクタ２３の構造を示す図であり、図１２は、布地５０と第３コネクタ２２との取付構造を示す図であり、図１３は、第３コネクタ２２の構造を示す図である。なお、図１０〜図１３において、（Ａ）は断面図であり、（Ｂ）は平面図である。
【００５８】
第２実施形態の布地装着アンテナ装置１が備えるコネクタ構造２４は、布地５０に取り付けられた信号パターン５及びグランドパターン６に、受信機に接続された同軸ケーブル２５を電気的に接続するコネクタ構造２４であり、そのコネクタ構造２４により、同軸ケーブル２５と信号パターン５及びグランドパターン６とを電気的に一体化させるものである。
【００５９】
このコネクタ構造２４は、２箇所の凹部２６，２７を有する第３コネクタ２２と、その凹部２６，２７にそれぞれ嵌合する２箇所の凸部２８，２９を有する第４コネクタ２３とで構成されている。このコネクタ構造２４は、基本的には上記第１実施形態で説明したコネクタ構造７と同じ構造であり、異なる点としては、凹部と凸部がそれぞれ２箇所設けられていること、第３コネクタ２２の一方の凹部１７がグランドパターン６にも電気的に接続されていること、第４コネクタ２３には受信機から延びる同軸ケーブル２５が接続されていること、であるが、それ以外の構成は上記第１実施形態で説明したのと同様であるので以下では可能な限りその説明を省略する。
【００６０】
第３コネクタ２２は、図９、図１２及び図１３に示すように、布地（衣服）５０側に設けられたコネクタであって、胴体部３０に２つの凹部２６，２７を有し、それぞれの凹部２６，２７の底部には２段構成の小径の凹部４１，４２をさらに有し、その凹部４１，４２には２つの貫通孔１８，１８が設けられ、その貫通孔１８，１８には導電糸１９が縫合されて布地５０の裏側５２に設けられ、凹部２６，２７の導電材と信号パターン５及びグランドパターン６とをそれぞれ電気的に接続するように構成されている。なお、第３コネクタ２２を構成する胴体部３０、凹部２６，２７、内部側の凹部４１，４２、凹部に設けられる導電材、貫通孔１８，１８、導電糸１９、信号パターン５、グランドパターン６、布地５０については、上記した第１実施形態で説明したものと同様である。
【００６１】
第３コネクタ２２は、上記第１実施形態で説明した第１コネクタ８が接続された信号パターン５の端部とは反対側の他端に接続され（図４を参照）、その結果、パッチアンテナと受信機とを接続することができる。
【００６２】
第４コネクタ２３は、図９〜図１１に示すように、上記第３コネクタ２２に嵌合してアンテナからの信号を同軸ケーブル２５を介して受信機に送るために設けられたコネクタであって、胴体部３１の上底に２つの凸部２８，２９を有し、そその凸部２８，２９の同軸ケーブル２５側にはそれぞれの凸部２８，２９に電気的に接続する導電ピン３２，３４を有し、一方の導電ピン３２は同軸ケーブル２５の中心導体３３に接続し、他方の導電ピン３４は同軸ケーブル２５の外部導体３５に配線材３７を介して接続するように構成されている。なお、第４コネクタ２３を構成する胴体部３１、凸部２８，２９、凸部２８，２９に設けられる導電材、導電ピン３２，３４については、上記した第１実施形態で説明したものと同様である。なお、図９及び図１０においては、同軸ケーブル２５は図示するが受信機は省略している。
【００６３】
同軸ケーブル２５は、一般的な同軸ケーブルであればよく特に限定されないが、図９及び図１０に示すように、中心導体３３と外部導体３５との間には誘電体３６を有している。この同軸ケーブル２５は、第４コネクタ２３の胴体部３１に取り付けられている。詳しくは、図１１に示すように、同軸ケーブル２５を取り付ける側の面には、同軸ケーブル２５の外径と同じ径からなる凹部３８が形成され、その凹部３８に同軸ケーブル２５の端部を挿入し、さらに挿入した同軸ケーブル２５の端部を接着剤等で接合することが好ましい。
【００６４】
同軸ケーブル２５の中心導体３３と、導電ピン３２とは、半田等でろう付けすることが通常行われるが、同軸ケーブル２５の端部から中心導体３３が所定長さ露出するように巻末処理し、その露出した中心導体３３を胴体部３１の穴９に通して、凸部２８の導電材に接続するように構成してもよい。また、同軸ケーブル２５の外部導体３５への接続は、他の凸部２９の導電材に導電ピン３４を接続し、その導電ピン３４と胴体部３１の同軸ケーブル２５側の面に設けられた配線材３７とを接続し、その配線材３７と同軸ケーブル２５の外部導体３５とを接続して行われることが好ましい。なお、この場合の接続は、上記同様、半田付け等のろう付けで行われることが好ましい。
【００６５】
こうして構成されたコネクタ構造２４と、上記第１実施形態で説明したコネクタ構造７とを有する本発明に係る布地装着アンテナ装置は、パッチ２で受信した信号を、コネクタ構造７、伝送線路４、コネクタ構造２４、同軸ケーブル２５を経由して受信機に伝えられる。このとき、パッチ２とグランド配線３との間で生じた電位差は、信号パターン５とグランドパターン７との間にも生じ、受信機側に運ばれる。
【００６６】
［第３実施形態］
上記した第１実施形態及び第２実施形態では、アンテナとしてパッチアンテナを例にしたものであり、コネクタ構造を、分割されたパッチアンテナの接続部材として用いているが、本発明の布地装着アンテナ装置は、例えば地板上モノポールアンテナのようなグランド板上に放射素子を配置するタイプのアンテナ（以下「モノポールアンテナ」という。）に対しても適応可能である。こうしたモノポールアンテナに対しては、上記第１実施形態で説明した第２コネクタ９の構成を変形するのみで対応できる。
【００６７】
図１４は、本発明の第３実施形態に係る布地装着アンテナ装置を構成する第２コネクタの一例を示す断面図（Ａ）と平面図（Ｂ）である。布地装着アンテナ装置を構成するアンテナとして、地板上Ｌ型モノポールアンテナを適用する場合には、図１で説明した第１コネクタ８に嵌合する第２コネクタとして、図１４に示す構造からなる第２コネクタ６１を用いることが好ましい。この第２コネクタ６１は、第１実施形態の第２コネクタ９とは異なり、パッチ２の代わりに線状の放射素子６６を実装することに特徴がある。なお、第２コネクタ６１を構成するその他の構成、例えば胴体部６２、凸部６３、凸部６３に設けられる導電材６４、導電ピン６５については、上記第１実施形態での第２コネクタ９と同様であるので詳しい説明は省略する。
【００６８】
第２コネクタ６１の凸部６３には導電材６４が設けられているが、その導電材６４には導電ピン６５が半田付け等で接続され、さらにその導電ピン６５には、線状の放射素子６６が半田付け等で接続されている。線状の放射素子６６として、導電ピン４２に対してλ／４の寸法の直径からなる細い銅線が好ましく用いられる。
【００６９】
線状の放射素子６６に接続する導電ピン４２は、第２コネクタ６１の胴体部６２に挿入したときに端部がわずかに第２コネクタ６１から突出する程度の長さで設けることが好ましく、その突出部分と銅線（放射素子６６）とを半田付け等で接続するのに便利である。あるいは、別部材として導電ピン４２を用いず、線状の放射素子６６の端部をＬ字に折り曲げて第２コネクタ６１の胴体部６２の穴に差し込み、凸部６３の導電材６４に半田等で接続してもよい。
【００７０】
こうした放射素子６６は、強度が不十分であり、また細い銅線が好ましく用いられるので人体などに突き刺さるおそれがあるが、そうしたことを回避するために、例えば樹脂等を用いて放射素子６６を第２コネクタ６１に固定することが好ましい。
【００７１】
なお、モノポールアンテナを複数設ける場合には、図４に示す長方形に延びる信号パターン５の端部をＹ字型に分岐し、それぞれの端部を給電部として第１コネクタを接続し、その第１コネクタにここで説明した第２コネクタ６１を接続して並列給電としてもよい。
【００７２】
［第４実施形態］
第４実施形態に係る布地装着アンテナ装置は、上記した各実施形態における第１コネクタと第２コネクタとの嵌合をより安定させて外れないようにした実施形態である。図１５は、本発明の第４実施形態に係る布地装着アンテナ装置のコネクタ構造一例を示す断面図である。また、図１６は、第１コネクタ７１の構造を示す断面図（Ａ）と平面図（Ｂ）であり、図１７は、第２コネクタ７２の構造を示す断面図（Ａ）と平面図（Ｂ）である。
【００７３】
コネクタ構造７３は、それぞれのコネクタ７１，７２の胴体部７８，７９に、コネクタ同士が相互に引き合うように磁石７４，７４を埋め込んだものであり、その結果、第１コネクタと第２コネクタとを嵌合した後の接続強度を補強することができる。例えば図示のように、第１コネクタ７１側にＮ極の磁石７４を設け、第２コネクタ７２側にＳ極の磁石７４を設けることができる。なお、磁石の極性は逆であってもよい。
【００７４】
具体的には、第１コネクタ７１においては、凹部８０の周囲を囲むようにリング状の磁石７４を胴体部７８に埋め込み、一方、第２コネクタ７２においても、凸部８１の周囲を囲むようにリング状の磁石７４を胴体部７９に埋め込む。それぞれのコネクタに埋め込まれた磁石７４，７４は、通常、図示のように対向する位置に配置されるが、磁石間で引き合うことができれば他の位置に配置しても構わない。また、図示の例ではリング状の磁石を用いているが、形状はリング状に限らずピース状の磁石を任意の位置に埋め込んだものであってもよい。
【００７５】
なお、図１５の例では、第２コネクタ７２に線状の放射素子７５は接続された地板上モノポールアンテナで説明するが、磁石７４を設けたコネクタ構造は、パッチアンテナを含むすべて布地装着アンテナ装置のコネクタに適応可能である。
【００７６】
［第５実施形態］
本発明の布地装着アンテナ装置は、第１実施形態のようなパッチアンテナや第３実施形態のような地板上モノポールアンテナのように、地板（グランド配線）と放射素子の分割箇所が１点であるものではなく、逆Ｆアンテナのように分割箇所が２点であるアンテナに対しても有効である。こうして構成される第５実施形態に係る布地装着アンテナ装置は、第３実施形態のような、伝送線路４の信号パターン５に取り付けた第１コネクタと、同軸ケーブルを取り付けた第２コネクタとのコネクタ構造と同様の形態であると考えることができる。
【００７７】
図１８は、本発明の第５実施形態に係る布地装着アンテナ装置を構成する逆Ｆアンテナの基本構造を示す模式断面図である。また、図１９は、第１コネクタと第２コネクタとを嵌合したコネクタ構造の一例を示す断面図であり、図２０は、第２コネクタに逆Ｆアンテナが取り付けられた構造を示す断面図（Ａ）と平面図（Ｂ）であり、図２１は、第２コネクタの構造を示す断面図（Ａ）と平面図（Ｂ）である。この第５実施形態に係る布地装着アンテナ装置は、図１８及び図１９に示すように、逆Ｆアンテナ９５を第２コネクタ９７に取り付けたことに特徴がある。こうした逆Ｆアンテナに対しては、上記第１実施形態で説明した第２コネクタ９の構成と上記第３実施形態で説明した第４コネクタ２３の構成とを組み合わせて変形するのみで対応できる。
【００７８】
逆Ｆアンテナは、Ｌ字に曲げられた放射素子であるモノポールアンテナ（図１４の第４実施形態を参照。）の給電部付近に、導電ピン９４を接合したアンテナであり、グランドパターン６と信号パターン５を有するアンテナである。放射素子９５であるＬ字導体は符号９２の点で信号パターン５と接続し、短絡ピン９４は符号９３の点でグランドパターン６に接続する。
【００７９】
この第５実施形態の布地装着アンテナ装置は、図１９に示すように、２つの凹部を持つ第１コネクタ９６と２つの凸部を持つ第２コネクタ９７とを嵌合して接続するコネクタ構造９８を有している。このコネクタ構造９８は、第３実施形態のコネクタ構造２３と同じ構造であり、具体的には、一つ目の嵌合部は、放射素子９５と信号パターン５とを接続するものであり、二つ目の嵌合部は、短絡ピン９４とグランドパターン６とを接続するものである。第１コネクタ９６と第２コネクタ９７とを嵌合することにより、図１８に示すように、グランド９１（本願でいうグランドパターン６）上にアンテナが配置された構成になる。なお、第１コネクタ９６と第２コネクタ９７の基本的な構成については、既述の実施形態で説明したのと同様であるので、ここでは相違点のみを説明する。
【００８０】
第２コネクタ９７は、図１９及び図２０に示すように、第１コネクタ９６が有する２箇所の凹部に対向する位置に凸部１００，１０１を有している。第２コネクタ９７は、凸部１００，１０１の表面に導電材が設けられており、その導電材には、凸部１００，１０１の反対側から穴１０３，１０４が開けられていて、その穴１０３，１０４の中に導電ピン９９と短絡ピン９４とがそれぞれ埋め込まれている。導電ピン９９と短絡ピン９４は、半田等によって放射素子９５に接続されている。放射素子９５は、第１コネクタ９６の胴体部１０２に樹脂や接着剤等で固定されている。放射素子９５は、図示のような銅線であってもよいが、放射素子９５と布地５０との間の空隙をさらに小さくするために、板状にしてもよい。
【００８１】
［第６実施形態］
本発明の第６実施形態に係る布地装着アンテナ装置は、グランドパターンに接続することを必要とするタイプのコネクタ構造を有するものである。図２２は、本発明の第６実施形態に係る布地装着アンテナ装置が備える第２コネクタの取付態様の一例を示す断面図（Ａ）と平面図（Ｂ）であり、図２３は、第２コネクタの構造についての断面図（Ａ）と平面図（Ｂ）である。
【００８２】
第６実施形態の布地装着アンテナ装置を構成する第１コネクタ１１０は、グランドパターン６に接続するための接続手段を備えたことに特徴があり、そうした接続手段としては、第１実施形態の第２の凹部と同様、導電材１１５で被覆された貫通孔１１６と布地５０の裏側に設けられたグランドパターン６とを導電糸１９で縫合する手段を挙げることができる。具体的には、貫通孔１１６は第１コネクタ１１０の外枠１１７付近に複数設けられており（図２２の例では３つ。）、布地５０を挟んでグランドパターン６と貫通孔１１６と第１コネクタ１１０の外枠１１７とをくるむように導電糸１９で縫合する。こうした構成によって、グランドパターン６とコネクタ構造との接続がさらに強くなる。
【００８３】
この実施形態のように、第１コネクタ１１０は、凹部１１１以外の部位（貫通孔１１６が形成されている部位。）でグランドパターン６に電気的に接続する第２の接続手段を少なくとも１カ所以上有するので、コネクタ構造を多機能化することができる。この場合において、第２の接続手段は、上記のように、第１コネクタ１１０の外枠１１７に設けられた導電材１１５と、第１コネクタ１１０の外枠１１７近傍に設けられた少なくとも１つの貫通孔１１６と、導電材１１５とグランドパターン６とを接続する導電糸１９とを有し、それらを縫合するように接続するので、接着剤や半田で接着する場合のような生地へのダメージを防ぐことができ、さらに繰り返し洗濯等を行った場合でも安定した接着を確保することができる。
【産業上の利用可能性】
【００８４】
本発明の布地装着アンテナ装置の活用例として、衣服をはさんだウェアラブルアンテナを構成するのみでなく、布製でつくられたカバンやバッグなど、糸を通せる持ち物や帽子などの体に身につけるものに対して応用できる。
【図面の簡単な説明】
【００８５】
【図１】本発明の第１実施形態の布地装着アンテナ装置を示す斜視図であり、第１コネクタと第２コネクタとを外してコネクタ構造を解除した態様を示している。
【図２】図１の第１コネクタと第２コネクタとを嵌合してコネクタ構造を構成した態様を示す断面図である。
【図３】本発明の布地装着アンテナ装置を構成するコネクタ構造を解除してパッチを取り外した態様を示す全体図である。
【図４】衣服の裏地側に設けられた信号パターンとグランドパターンの構成図である。
【図５】パッチと第２コネクタとの取付構造を示す図である。
【図６】第２コネクタの構造を示す図である。
【図７】布地と第１コネクタとの取付構造を示す図である。
【図８】第２コネクタの構造を示す図である。
【図９】本発明の第２実施形態の布地装着アンテナ装置が有するケーブル端部のコネクタ構造を示す斜視図であり、第３コネクタと第４コネクタとを外してコネクタ構造を解除した態様を示している。
【図１０】同軸ケーブルと第４コネクタとの取付構造を示す図である。
【図１１】第４コネクタの構造を示す図である。
【図１２】布地と第３コネクタとの取付構造を示す図である。
【図１３】第３コネクタの構造を示す図である。
【図１４】本発明の第３実施形態に係る布地装着アンテナ装置を構成する第２コネクタの一例を示す断面図（Ａ）と平面図（Ｂ）である。
【図１５】本発明の第４実施形態に係る布地装着アンテナ装置のコネクタ構造一例を示す断面図である。
【図１６】第１コネクタの構造を示す断面図（Ａ）と平面図（Ｂ）である。
【図１７】第２コネクタの構造を示す断面図（Ａ）と平面図（Ｂ）である。
【図１８】本発明の第５実施形態に係る布地装着アンテナ装置を構成する逆Ｆアンテナの基本構造を示す模式断面図である。
【図１９】第１コネクタと第２コネクタとを嵌合したコネクタ構造の一例を示す断面図である。
【図２０】第２コネクタに逆Ｆアンテナが取り付けられた構造を示す断面図（Ａ）と平面図（Ｂ）である。
【図２１】第２コネクタの構造を示す断面図（Ａ）と平面図（Ｂ）である。
【図２２】本発明の第６実施形態に係る布地装着アンテナ装置が備える第２コネクタの取付態様の一例を示す断面図（Ａ）と平面図（Ｂ）である。
【図２３】第２コネクタの構造についての断面図（Ａ）と平面図（Ｂ）である。
【符号の説明】
【００８６】
１  布地装着アンテナ装置
２  パッチ
３  グランド配線
４  伝送線路
５  信号パターン
６  グランドパターン
７  コネクタ構造
８  第１コネクタ
９  第２コネクタ
１０  凹部
１１  凸部
１２  接続手段
１３  誘電体
１４，１６  胴体部
１５  導電ピン
１７  第２の凹部
１８  貫通孔
１９  導電糸
２０，２１  導電材
２２  第３コネクタ
２３  穴
２４  コネクタ構造
２５  同軸ケーブル
２６，２７  凹部
２８，２９  凸部
３０，３１  胴体部
３２，３４  導電ピン
３３  中心導体
３５  外部導体
３６  誘電体
３７  配線
３８  凹部
３９，４０  穴
４１，４２  第２の凹部
５０  布地
５１  表側（表地側）
５２  裏側（裏地側）
６１  第２コネクタ
６２  胴体部
６３  凸部
６４  導電材
６５  導電ピン
６６  放射素子
７１  第１コネクタ
７２  第２コネクタ
７３  コネクタ構造
７４  磁石
７５  放射素子
７６  導電ピン
７７  穴
７８，７９  胴体部
８０  凹部
８１  凸部
８２  第２の凹部
９１  グランド
９２  Ｌ字導体と信号パターンとの接続点
９３  短絡ピントグランドパターンとの接続点
９４  短絡ピン
９５  放射素子
９６  第１コネクタ
９７  第２コネクタ
９８  コネクタ構造
９９  導電ピン
１００，１０１  凸部
１０２  胴体部
１０３，１０４  穴
１１０  第１コネクタ
１１１  凹部
１１２  第２の凹部
１１４  胴体部
１１５  導電材
１１６  貫通孔
１１７  外枠
【図１】
2010068163.tif 000003
【図２】
2010068163.tif 000004
【図３】
2010068163.tif 000005
【図４】
2010068163.tif 000006
【図５】
2010068163.tif 000007
【図６】
2010068163.tif 000008
【図７】
2010068163.tif 000009
【図８】
2010068163.tif 000010
【図９】
2010068163.tif 000011
【図１０】
2010068163.tif 000012
【図１１】
2010068163.tif 000013
【図１２】
2010068163.tif 000014
【図１３】
2010068163.tif 000015
【図１４】
2010068163.tif 000016
【図１５】
2010068163.tif 000017
【図１６】
2010068163.tif 000018
【図１７】
2010068163.tif 000019
【図１８】
2010068163.tif 000020
【図１９】
2010068163.tif 000021
【図２０】
2010068163.tif 000022
【図２１】
2010068163.tif 000023
【図２２】
2010068163.tif 000024
【図２３】
2010068163.tif 000025